(57)【要約】【課題】封止剤用の位置合わせマークを備えた構成において、駆動基板側からの入射光を充分に遮光された視認性の良好な液晶表示装置を提供する。【解決手段】駆動回路が形成された駆動基板１０と、これに対向配置された対向基板２０と、開口部（注入口３０ａ）を駆動基板１０および対向基板２０の側周に臨ませた状態で、駆動基板１０と対向基板２０との周縁端に連続的に挟持されたシール剤３０と、シール剤３０の注入口３０ａを塞ぐ状態で駆動基板１０と対向基板２０との側周に塗布された封止剤３２と、駆動基板１０と対向基板２０との間に充填された液晶層ＬＣとを備えた液晶表示装置１において、駆動基板１０上における注入口３０ａの両側には、駆動回路を構成するゲート電極１１層と同一層で構成された位置合わせマーク１１ａ-1が設けられている。【選択図】図１
2008257014.tif 000002
【特許請求の範囲】
【請求項１】
駆動回路が形成された駆動基板と、
前記駆動基板に対向配置された対向基板と、
少なくとも1箇所の開口部を前記駆動基板および対向基板の側周に臨ませた状態で、当該駆動基板と対向基板との周縁端に連続的に挟持されたシール剤と、
前記シール剤の開口部を塞ぐ状態で前記駆動基板と対向基板との側周に塗布された封止剤と、
前記シール剤と封止剤とで封止された前記駆動基板と対向基板との間に充填された液晶層とを備えた液晶表示装置において、
前記駆動基板上における前記開口部の両側には、前記駆動回路を構成する層と同一層で構成された位置合わせマークが設けられている
ことを特徴とする液晶表示装置。
【請求項２】
請求項１記載の液晶表示装置において、
前記位置合わせマークは、前記シール剤よりも外側において前記駆動基板の端縁を覆う遮光膜の一部をパターニングしてなる
ことを特徴とする液晶表示装置。
【請求項３】
請求項２記載の液晶表示装置において、
前記位置合わせマークを含む遮光膜の端縁は、前記対向基板側に形成されたブラックマトリックスの端縁と平面視的に重ねて配置される
ことを特徴とする液晶表示装置。
【請求項４】
請求項1記載の液晶表示装置において、
前記位置合わせマークは、前記駆動回路を構成する薄膜トランジスタのゲート電極と同一層で構成されている
ことを特徴とする液晶表示装置。
【請求項５】
請求項1記載の液晶表示装置において、
前記封止剤は、前記位置合わせマークに対して所定状態で塗布されている
ことを特徴とする液晶表示装置。
【請求項６】
駆動基板における駆動回路の形成面上に対向基板を配置すると共に、少なくとも1箇所の開口部を前記駆動基板および対向基板の側周に臨ませた状態で当該駆動基板と対向基板との周縁端に連続的にシール剤を挟持させる工程と、
前記開口部から前記駆動基板と対向基板との間に液晶層を充填注入する工程と、
前記駆動基板上における前記開口部の両側に設けられた前記駆動回路を構成する層と同一層で構成された位置合わせマークに基づいて、前記駆動基板と対向基板との側周に前記開口部を塞ぐ所定状態で封止剤を塗布することにより、前記駆動基板と対向基板との間に前記液晶層を封止する工程とを行う
ことを特徴とする液晶表示装置の製造方法。
【請求項７】
請求項６記載の液晶表示装置の製造方法において、
前記位置合わせマークに基づいて、前記駆動基板と対向基板との側周における前記封止剤の塗布状態を検査する工程を行う
ことを特徴とする液晶表示装置の製造方法。
【発明の詳細な説明】
【技術分野】
【０００１】
本発明は液晶表示装置および液晶表示装置の製造方法に関し、特には基板の側周に塗布される封止剤の位置決め用のマークを備えた液晶表示装置およびその製造方法に関する。
【背景技術】
【０００２】
２枚の基板間に液晶層を狭持してなる液晶表示装置は、薄型の表示装置として様々な電子機器の表示部やプロジェクタ装置の光変調部に用いられている。一般的な液晶表示装置の構成は、例えば次のようである。
【０００３】
駆動回路が形成された駆動基板と、駆動基板に対向配置された対向基板との間には、これらの周縁端に連続的にシール剤が挟持されており、このシール剤によって２枚の基板が接着されている。そして、シール剤で囲まれた駆動基板−対向基板間の空間部分に、液晶層が充填されている。またシール剤には、基板間に液晶層を注入充填するための開口部（注入口）が、駆動基板および対向基板の側周に臨ませた状態で設けられている。そして、この注入口を塞ぐ状態で、駆動基板と対向基板との側周に封止剤が塗布され、駆動基板−対向基板間に充填された液晶層を封止している。
【０００４】
以上のような構成の液晶表示装置においては、注入口を塞ぐ封止剤の塗布状態の良否を判断する基準となるマークを設けることが提案されている。このマークは、注入口の両脇に形成される着色部であり、例えばブラックマトリックスと同じ材料を用いてブラックマトリックスと同様の方法で、一方の基板上の注入口近傍に形成される（以上、下記特許文献１参照）。
【０００５】
【特許文献１】特開２００３−１４０１６３号公報（特に段落００１５参照）
【発明の開示】
【発明が解決しようとする課題】
【０００６】
近年、液晶表示装置およびこの液晶表示装置を表示部として組み込んだ電子機器においては、装置全体の小型化が進められる一方、表示領域の占有面積の拡大が求められている。この場合、表示領域の外周部の、いわゆる額縁部分を縮小する必要があるが、このような額縁部分の縮小により、表示領域を斜め方向から見た際の駆動基板側の周縁からの光漏れによる視認性の低下が問題となる。
【０００７】
つまり、額縁部分の縮小により、対向基板の端縁までブラックマトリックスで充分に覆った構成であったとしても、駆動基板の端縁部分に斜め方向から入射した光が基板内で反射して表示領域にまで到達し易くなっているのである。
【０００８】
そこで本発明は、封止剤の位置合わせマークを備えた構成において、駆動基板側からの入射光が充分に遮光された視認性の良好な液晶表示装置を提供することを目的とする。
【課題を解決するための手段】
【０００９】
このような目的を達成するための本発明の液晶表示装置は、駆動回路が形成された駆動基板と、この駆動基板に対向配置された対向基板と、少なくとも1箇所の開口部を駆動基板および対向基板の側周に臨ませた状態でこれらの基板の周縁端に連続的に挟持されたシール剤と、このシール剤の開口部を塞ぐ状態で駆動基板と対向基板との側周に塗布された封止剤と、シール剤と封止剤とで封止された駆動基板と対向基板との間に充填された液晶層とを備えた液晶表示装置である。そして特に、駆動基板上における開口部の両側には、駆動回路を構成する層と同一層で構成された位置合わせマークが設けられていることを特徴としている。
【００１０】
このような構成の液晶表示装置では、駆動回路と同一層で位置合わせマークが駆動基板側の端縁部分の遮光膜となり、駆動基板側からの外光の入射が防止される。
【００１１】
また本発明は、このような液晶表示装置の製造方法でもあり、駆動基板と対向基板との間に上記シール剤を挟持させ、これらの基板間に液晶層を充填した後、駆動基板側の駆動回路を構成する層と同一層で構成された位置合わせマークに基づいて、駆動基板と対向基板との側周に所定状態で封止剤を塗布して液晶層を封止することを特徴としている。
【００１２】
このような製造方法により、上述した構成の液晶表示装置が得られる。
【発明の効果】
【００１３】
以上説明したように本発明によれば、封止剤を塗布する際の位置合わせマークを駆動基板の端縁における遮光膜として用いることが可能になるため、額縁が縮小化された構成においても駆動基板側からの入射光が充分に遮光された視認性の良好な液晶表示装置が得られる。
【発明を実施するための最良の形態】
【００１４】
以下、本発明を適用した実施の形態を図面に基づいて詳細に説明する。尚、本実施形態においては、アクティブマトリックス型の液晶表示装置に本発明を適用した構成を説明するが、本発明はこれに限定されることはない。
【００１５】
＜液晶表示装置の全体構成＞
図１は実施形態の液晶表示装置の構成を説明する平面構成図である。図２は実施形態の液晶表示装置の構成を説明する断面構成図であり、図１におけるＡ−Ａ’断面図である。また図３は実施形態の液晶表示装置の構成の詳細を説明する駆動基板側の要部拡大平面図である。以下にこれらの図面に基づいて実施形態の液晶表示装置の概略構成を説明する。
【００１６】
これらの図に示す液晶表示装置１は、駆動回路が形成された駆動基板１０と、これに対向配置された対向基板２０と、これらの基板１０−２０間に挟持されたシール剤３０と、シール剤３０の注入口３０ａを塞ぐ封止剤３２と、基板１０−２０間に充填された液晶層ＬＣとを備えている。
【００１７】
このうち駆動基板１０は、液晶表示装置１の中央部に設定された表示領域１０ａおよびその周辺領域１０ｂに駆動回路を備えている。この駆動回路は、以降に詳細に説明するように、薄膜トランジスタや容量素子で構成された画素回路および周辺回路である。
【００１８】
また、この駆動基板１０上には、例えば上記駆動回路の薄膜トランジスタを構成するゲート電極１１と同一層で、遮光膜１１ａおよび引き出し配線１１ｂが設けられている。これらのゲート電極１１、遮光膜１１ａ、および引き出し配線１１ｂは、例えばモリブデン（Ｍｏ）膜からなる。そして、遮光膜１１ａおよび引き出し配線１１ｂは、駆動基板１０の周縁においてシール剤３０と重なる位置からその外側に掛けて設けられていることとする。
【００１９】
ここで遮光膜１１ａは、駆動基板１０における一方の端縁を覆う帯状に設けられている。そして特にこの遮光膜１１ａは、その一部が検査用のマーク１１ａ-1としてパターニングされている。各マーク１１a-1は、顕微鏡検査における目視にて、独立したパターンとして認識できるように遮光膜１１ａの一部をパターニングしてなる。このようなマーク１１ａ-1は、間隔Ｐ１のスリットで分離されていることとする。この間隔Ｐ１は、大きすぎると、遮光性１１ａとマーク１１ａ-1とによる遮光性が低下するため、認識可能な範囲で狭い方が好ましい。
【００２０】
以上のような遮光膜１１ａの一部をパターニングしてなるマーク１１ａ-1は、シール剤３０の注入口３０ａを中心に、その両脇に設けられていることとする。
【００２１】
以上のように検査用のマーク１１ａ-1がパターン形成された遮光膜１１ａと、これと同一層で構成されたゲート電極１１および引き出し配線１１ｂを覆う絶縁膜１３上には、ここでの図示を省略した回路配線等が形成され、これらを覆う状態で平坦化絶縁膜１５が設けられている。この平坦化絶縁膜１５上における表示領域１０ａには、回路配線に接続された複数の画素電極１７がマトリクス状に配列形成されている。
【００２２】
そしてこの画素電極１７を覆う状態で、ここでの図示を省略した配向膜が設けられている。
【００２３】
一方、対向基板２０は、駆動基板１０と同一形状であり、駆動基板１０における引き出し配線１１ｂが引き出された周縁方向のみにおいて駆動基板１０の上方を開口させている。この対向基板２０は、液晶表示装置１の中央部に設定された表示領域１０ａを囲む周辺領域１０ｂに対応したブラックマトリックス２１を備えている。また表示領域内にも、画素電極１７間に対応する位置にブラックマトリックス２１が配置されていても良い。
【００２４】
ここで、周縁部に配置されているブラックマトリックス２１の外周端縁は、平面視的に遮光膜１１ａ（マーク１１ａ-1を含む）の端縁と重ねて配置されることとする。
【００２５】
また、ブラックマトリックス２１によって囲まれた表示領域１０ａには各色のカラーフィルタ２３が設けられている。
【００２６】
さらにここでの図示は省略したが、これらのブラックマトリックス２１およびカラーフィルタ２３を覆う状態で、表示領域１０ａの全面に共通電極としての対向電極と配向膜とがこの順に積層形成されている。
【００２７】
シール剤３０は、少なくとも1箇所の開口部を注入口３０ａとして、駆動基板１０および対向基板２０の側周に臨ませた状態で、当該駆動基板１０と対向基板２０との周縁端に連続的に設けられている。このシール剤３０は、例えばスクリーン印刷やディスペンサを用いて一方の基板側に描画されたものであり、注入口３０ａが設けられる端縁方向においてのみ、駆動基板１０おおび対向基板２０の周縁端から、少し内側に設けられている。これにより注入口３０ａは、表示領域１０ａ側から基板１０，２０の側周に掛けてが、ネック状に成形された状態となっている。
【００２８】
そして、この注入口３０ａの両側において、シール剤３０で囲まれた部分の外側にマーク１１ａ-1と、遮光膜１１ａの一部が配置された構成となっている。
【００２９】
封止剤３２は、シール剤３０の注入口３０ａを塞ぐ状態で駆動基板１０と対向基板２０との側周に塗布されている。この封止剤３２は、マーク１１ａ-1に対して所定状態で塗布されている。ここでは例えば、両側に設けられたマーク１１ａ-1の範囲に、封止剤３２の端部が配置されるように、封止剤３２が塗布されていることとする。尚、マーク１１ａ-1に対する封止剤３２の塗布状態（位置）は、このような状態に限定されることはなく、マーク１１ａ-1を基準にして所定の状態で塗布されていれば良い。
【００３０】
液晶層ＬＣは、液晶表示装置１の駆動モードによって選択された誘電異方性を備えた液晶分子によって構成されたものであることとする。尚、駆動基板１０と対向基板２０との間には、液晶層ＬＣの他にも、駆動基板１０と対向基板２０との間隔を所定状態にするための複数のスペーサが挟持される。これらのスペーサは、駆動基板１０または対向基板２０上に予め形成された柱状スペーサでも良いし、別体として駆動基板１０または対向基板２０上に散布されたスペーサでも良い。
【００３１】
また、必要に応じて、外部回路が形成されたフレキシブルプリント基板３４が引き出し配線１１ｂに接続されている。
【００３２】
＜製造方法−１＞
以上のように構成された液晶表示装置１の製造方法の第１例は、次のようである。
【００３３】
先ず、上述したように駆動回路、遮光膜１１ａおよびマーク１１ａ-1等が形成された駆動基板１０を作製する。また、ブラックマトリックスなどが形成された対向基板２０を作製する。
【００３４】
次に、駆動基板１０もしくは対向基板２０上に注入口３０ａを位置決めした状態で、スクリーン印刷やディスペンサを用いてシール剤３０を塗布形成する。また必要に応じて駆動基板１０または対向基板２０上にスペーサを散布する。次いで、駆動基板１０上にシール剤３０を挟む状態で対向基板２０を対向配置する。そして、駆動基板１０−対向基板２０間を、シール剤３０によって接着させる。
【００３５】
その後、シール剤３０の注入口（開口部）３０ａから駆動基板１０と対向基板２０との間に、液晶層ＬＣを充填注入する。
【００３６】
次に、注入口３０ａの両側に設けられたマーク１１ａ-1を、対向基板２０側または駆動基板１０側から目視しつつ、これらのマーク１１ａ-1に基づいて、注入口３０ａを塞ぐ所定状態で駆動基板１０と対向基板２０との側周に封止剤３２を塗布する。この際、例えば、両側に設けられたマーク１１ａ-1の範囲に、封止剤３２の端部が配置されるように、封止剤３２を塗布する。そして、ＵＶ照射もしくは熱により封止剤３２を効果させる。以上により、駆動基板１０と対向基板２０との間に充填した液晶層ＬＣを封止する。
【００３７】
その後、必要に応じて、外部回路が形成されたフレキシブルプリント基板３４を、引き出し配線１１ｂに接続させて液晶表示装置１を完成させる。
【００３８】
またフレキシブルプリント基板３４を接続させる前には、マーク１１ａ-1に基づいて、封止剤３２の塗布状態が所定状態となっているか否か検査する工程を行い、ＯＫ品とＮＧ品と分別する。ＮＧ品と判断された液晶表示装置１については、リペアを行う。
【００３９】
＜製造方法−２＞
また以上のように構成された液晶表示装置１の製造方法の第２例は、次のようである。
【００４０】
先ず、複数の装置領域（液晶表示装置が形成される複数の領域）が設定された基板の各装置領域に、駆動回路、遮光膜１１ａおよびマーク１１ａ-1等が形成された大型の駆動基板を作製する。また、駆動基板１０と同じ形状（大きさ）で同様に装置領域が設定された基板の各装置領域にブラックマトリックスなどが形成された大型の対向基板を作製する。
【００４１】
次に、大型の駆動基板もしくは対向基板上の各装置領域にシール剤３０を塗布形成し、大型の駆動基板上にシール剤３０を挟む状態で大型の対向基板を対向配置する。そして、シール剤３０によって大型の駆動基板−対向基板間を接着させる。
【００４２】
次に、接着させた大型の駆動基板と対向基板とを各装置領域毎に分割する。また、装置領域毎に分割した対向基板２０の一端縁を切除することにより、装置領域毎に分割した駆動基板１０に形成した引き出し配線１１ｂ上の対向基板２０を除去する。
【００４３】
その後は、第１例と同様に行う。すなわち、シール剤３０の注入口（開口部）３０ａから駆動基板１０と対向基板２０との間に、液晶層ＬＣを充填注入し、注入口３０ａの両側に設けられたマーク１１ａ-1に基づいて、注入口３０ａを塞ぐ所定状態で駆動基板１０と対向基板２０との側周に封止剤３２を塗布して硬化させ、液晶層ＬＣを封止する。その後、必要に応じて、外部回路が形成されたフレキシブルプリント基板３４を、引き出し配線１１ｂに接続させて液晶表示装置１を完成させる。またフレキシブルプリント基板３４を接続させる前には、マーク１１ａ-1に基づいて、封止剤３２の塗布状態が所定状態となっているか否か検査する工程を行う。
【００４４】
以上説明した構成の液晶表示装置１は、位置合わせ用のマーク１１ａ-1に基づいた所定状態で、駆動基板１０と対向基板２０との側周に封止剤３２が塗布されている。このため、この液晶表示装置１に枠を嵌め合わせる場合や、この液晶表示装置１を電子機器に組み込む場合に、封止剤３２がはみ出して塗布されたことによる不具合、例えば枠部分との接触による封止剤３２の削れ等が防止される。また、封止剤３２の塗布部分が不足していることによる液晶層ＬＣの封止不良が防止される。
【００４５】
そして特に本実施形態においては、駆動基板１０側に設けた薄膜トランジスタのゲート電極１１と同一層で位置合わせ用のマーク１１ａ-1が構成されている。これにより、このマーク１１ａ-1が、駆動基板１０側の遮光膜１１ａの一部をパターニングしたものとすることができ、表示面を正面や斜め方向から見た場合などの駆動基板１０側からの光漏れを充分に防止することができる。
【００４６】
尚、上述した実施形態においては、位置合わせ用のマーク１１ａ-1が薄膜トランジスタのゲート電極１１と同一層である構成を例示した。しかしながら、この位置合わせ用のマーク１１ａ-1は、駆動基板１０側の駆動回路を構成する層と同一層であれば、駆動基板１０側の遮光膜として用いることができるため、マーク１１ａ-1として同様に用いることができる。例えば、薄膜トランジスタに接続されたアルミニウムからなる配線と同一層で構成されても良く、さらには次に説明する駆動回路を構成する容量電極や、これらの素子を接続するために設けられた電極材料と同一層であっても良い。また、これらの駆動回路を構成する層は、何れもブラックマトリックス２１やカラーフィルタ２３と比較して、薄膜であるため設計の自由度や組み立て易さが向上する。
【００４７】
また位置合わせ用のマーク１１a-1の形状も、上述した所定の長さＬのものに限定されることはなく、例えば遮光膜１１ａをスリット状にパターニングした構成であっても良い。ただし、遮光膜１１ａの抜きパターンは、遮光性が保たれる程度に抑えることが重要である。
【００４８】
＜駆動回路の構成＞
図４は、上記液晶表示装置１の駆動回路の一例を示す図である。
【００４９】
この図に示すように、アクティブマトリックス型の液晶表示装置１において、駆動基板１０側に設定された表示領域１０ａには、複数の走査線３と複数の信号線５とが縦横に配線されており、それぞれの交差部に対応して１つの画素が設けられた画素アレイ部として構成されている。各画素に設けられる画素回路は、例えば画素電極１７、薄膜トランジスタＴｒ、および保持容量Ｃｓで構成されている。
【００５０】
一方、周辺領域１０ｂには、走査線３を走査駆動する走査線駆動回路７と、輝度情報に応じた映像信号（すなわち入力信号）を信号線５に供給する信号線駆動回路９とが配置されている。
【００５１】
以上のようなパネル構成においては、走査線駆動回路７による駆動により、薄膜トランジスタＴｒを介して信号線５から書き込まれた映像信号が保持容量Ｃｓに保持され、保持された信号量に応じた電圧が画素電極１７に供給される。一方、保持容量Ｃｓの他方の電極に接続された共通電極としての対向電極にはコモン電位Ｖcomが印加される。これにより、画素電極１７と対向電極との間に印加された電圧によって発生させた電界に応じて、液晶層を構成する液晶分子が基板面内において所定角度で回転して表示光の光透過が制御される。
【００５２】
尚、以上のような画素回路の構成は、あくまでも一例であり、必要に応じて画素回路内に容量素子を設けたり、さらに複数のトランジスタを設けて画素回路を構成しても良い。また、周辺領域１０ｂには、画素回路の変更に応じて必要な駆動回路が追加される。また、本発明は全ての液晶駆動モードの液晶表示装置に適用可能であり、さらにアクティブマトリックス型だけではなくパッシブマトリックス型にも適用可能であり、同様の効果を得ることができる。
【００５３】
＜適用例＞
以上説明した本発明に係る液晶表示装置は、図５〜図９に示す様々な電子機器、例えば、デジタルカメラ、ノート型パーソナルコンピュータ、携帯電話等の携帯端末装置、ビデオカメラなど、電子機器に入力された映像信号、若しくは、電子機器内で生成した映像信号を、画像若しくは映像として表示するあらゆる分野の電子機器の表示装置に適用することが可能である。以下に、本発明が適用される電子機器の一例について説明する。
【００５４】
図５は、本発明が適用されるテレビを示す斜視図である。本適用例に係るテレビは、フロントパネル１０２やフィルターガラス１０３等から構成される映像表示画面部１０１を含み、その映像表示画面部１０１として本発明に係る表示装置を用いることにより作成される。 
【００５５】
図６は、本発明が適用されるデジタルカメラを示す図であり、（Ａ）は表側から見た斜視図、（Ｂ）は裏側から見た斜視図である。本適用例に係るデジタルカメラは、フラッシュ用の発光部１１１、表示部１１２、メニュースイッチ１１３、シャッターボタン１１４等を含み、その表示部１１２として本発明に係る表示装置を用いることにより作製される。
【００５６】
図７は、本発明が適用されるノート型パーソナルコンピュータを示す斜視図である。本適用例に係るノート型パーソナルコンピュータは、本体１２１に、文字等を入力するとき操作されるキーボード１２２、画像を表示する表示部１２３等を含み、その表示部１２３として本発明に係る表示装置を用いることにより作製される。 
【００５７】
図８は、本発明が適用されるビデオカメラを示す斜視図である。本適用例に係るビデオカメラは、本体部１３１、前方を向いた側面に被写体撮影用のレンズ１３２、撮影時のスタート／ストップスイッチ１３３、表示部１３４等を含み、その表示部１３４として本発明に係る表示装置を用いることにより作製される。
【００５８】
図９は、本発明が適用される携帯端末装置、例えば携帯電話機を示す図であり、（Ａ）は開いた状態での正面図、（Ｂ）はその側面図、（Ｃ）は閉じた状態での正面図、（Ｄ）は左側面図、（Ｅ）は右側面図、（Ｆ）は上面図、（Ｇ）は下面図である。本適用例に係る携帯電話機は、上側筐体１４１、下側筐体１４２、連結部（ここではヒンジ部）１４３、ディスプレイ１４４、サブディスプレイ１４５、ピクチャーライト１４６、カメラ１４７等を含み、そのディスプレイ１４４やサブディスプレイ１４５として本発明に係る表示装置を用いることにより作製される。
【図面の簡単な説明】
【００５９】
【図１】本発明の液晶表示装置の構成を説明する平面構成図である。
【図２】本発明の液晶表示装置の構成を説明する断面構成図である。
【図３】本発明の液晶表示装置の構成を説明する要部拡大平面図である。
【図４】アクティブマトリックス型の液晶表示装置のパネル構成を示す図である。
【図５】本発明が適用されるテレビを示す斜視図である。
【図６】本発明が適用されるデジタルカメラを示す図であり、（Ａ）は表側から見た斜視図、（Ｂ）は裏側から見た斜視図である。
【図７】本発明が適用されるノート型パーソナルコンピュータを示す斜視図である。
【図８】本発明が適用されるビデオカメラを示す斜視図である。
【図９】本発明が適用される携帯端末装置、例えば携帯電話機を示す図であり、（Ａ）は開いた状態での正面図、（Ｂ）はその側面図、（Ｃ）は閉じた状態での正面図、（Ｄ）は左側面図、（Ｅ）は右側面図、（Ｆ）は上面図、（Ｇ）は下面図である。
【符号の説明】
【００６０】
１…液晶表示装置、１０…駆動基板、１１…ゲート電極（Ｍｏ）、１１ａ…遮光膜、１１ａ-1…位置合わせマーク（遮光膜）、２０…対向基板、３０…シール剤、３０ａ…注入口（開口部）、３２…封止剤、ＬＣ…液晶層
【図１】
2008257014.tif 000003
【図２】
2008257014.tif 000004
【図３】
2008257014.tif 000005
【図４】
2008257014.tif 000006
【図５】
2008257014.tif 000007
【図６】
2008257014.tif 000008
【図７】
2008257014.tif 000009
【図８】
2008257014.tif 000010
【図９】
2008257014.tif 000011